(57)【要約】      （修正有）【課題】カラスや野猿などの害鳥獣から、農作物被害を軽減する効果的なロケット花火発射装置を提供する【解決手段】先端部が開放された筒体２と、該筒体の略中央部に形成されたロケット花火挿入口６と、該ロケット花火挿入口に近接し、前記筒体と連通して設けられた導火線保持部７を有する把持部３と、前記筒体を挿通可能とし、前記把持部の導火線保持部側端部にて当接するカバー部４とから構成される。このロケット花火挿入口からロケット花火８を装填して着火し、発射することにより数十メーター先まで到達させることが可能であり、このロケット花火の炸裂音と花火特有の火薬の臭いによって野猿などの撃退が可能となる。【選択図】図１
0003124481.tif 000002
【実用新案登録請求の範囲】
【請求項１】
先端部が開放された筒体と、該筒体の略中央部に形成されたロケット花火挿入口と、該ロケット花火挿入口に近接し、前記筒体と連通して設けられた導火線保持部を有する把持部と、前記筒体を挿通可能とし、前記把持部の導火線保持部側端部にて当接するカバー部とから構成されたことを特徴とする花火銃。
【考案の詳細な説明】
【技術分野】
【０００１】
本考案は、花火銃に関し、とくにロケット花火又は飛翔花火と称される花火を使用した鳥獣撃退用の花火銃に関するものである。
【背景技術】
【０００２】
近年、カラスや野猿等による農作物の被害が多発している。とくに野猿は集団で農作物を荒らし、農家に多大の経済的な損害を与えている。そこで、爆音機やネット、電柵などの対策がなされ一定の効果は見られたが、繰り返し学習によって慣れが生じて全く効果が得られないものとなり、費用対効果の点においても充分な成果を得ることができなかった。
【０００３】
これら問題点を解決するため、ロケット花火を発射するピストル型のカラス脅し銃が、提案されている（特許文献１参照。）。また、ロケット花火を用いる鳥獣撃退用の花火発射器において、ロケット花火を任意の方向へ安全に発射できるロケット花火発射器も提案されている（特許文献２参照。）。
【特許文献１】登録実用新案第３０５５７０２号公報
【特許文献２】特開２００５−１２１２６８号公報
【考案の開示】
【考案が解決しようとする課題】
【０００４】
しかし、上記の特許文献１に記載されているピストル型のカラス脅し銃の場合、銃身にロケット花火を装填してガスライターで点火し、ロケット花火を発射するものであるが、ピストル型の銃身は射程距離が短く、目標であるカラスなどの近くまで届かないという問題点があった。
【０００５】
また、上記の特許文献２に記載されているロケット花火発射器の場合、ロケット花火を任意の方向に発射して使用するものであるが、予め花火の導火線へ点火しておく必要があり、作業性が悪くまた、危険性が残るものであった。
【０００６】
本考案は、上記問題点に鑑みなされたものであり、安全にロケット花火に着火して、発射ができると共に、ロケット花火を野猿などの近くまで到達させて炸裂させることができる花火銃を提供するものである。
【課題を解決するための手段】
【０００７】
このため本考案は、先端部が開放された筒体と、該筒体の略中央部に形成されたロケット花火挿入口と、該ロケット花火挿入口に近接し、前記筒体と連通して設けられた導火線保持部を有する把持部と、前記筒体を挿通可能とし、前記把持部の導火線保持部側端部にて当接するカバー部とから構成されたことを特徴とする。
【０００８】
この構成による花火銃は、とくに柄付きロケット花火を使用して有効に活用でき、上記ロケット花火挿入口からロケット花火を装填して着火し、発射することにより数十メーター先まで到達させることが可能であり、このロケット花火の炸裂音と花火特有の火薬の臭いによって野猿などの撃退が可能となる。
【考案の効果】
【０００９】
本考案の花火銃は、以上のように構成されているので次のような優れた効果を有する。
（１）先端部が開放された筒体と、該筒体を挿通可能とし、前記把持部の導火線保持部側端部にて当接するカバー部とから構成されているので、ロケット花火を筒体内を挿通して発射し、野猿などの近くまで到達させることができるという優れた効果がある。
（２）また、ロケット花火挿入口に近接して導火線保持部が設けられているため、導火線を筒体から引き出した状態で着火が可能であり、しかも、カバー部は前記筒体を挿通可能とし、前記把持部の導火線保持部側端部にて当接するため、前記ロケット花火挿入口を閉めた状態にて着火及び発射が可能となり、安全に作業ができるという優れた効果がある。
【考案を実施するための最良の形態】
【００１０】
以下、本考案の実施の形態を、図面に示す実施例に基づいて説明するが、本考案が本実施例に限定されないことは言うまでもない。図１は、本考案に係る花火銃の一実施例を示す斜視図、図２は図１の部分拡大断面図、図３は本考案の花火銃の使用状態を示す説明図である
【実施例】
【００１１】
図１、図２に示すように、本考案の花火銃１は、中空の筒体２と、把持部３と、中空のカバー４とから構成され、カバー４と把持部３とは略同径に形成され、また、筒体２はカバー４に装着自在とされる。把持部３はロケット花火８の柄９と略同じ長さに形成され、筒体２とカバー４はそれぞれロケット花火８と略同じ長さに形成されている。そして、把持部４の後端には後部カバー５が設けられ、閉口されている。尚、筒体２、把持部３、カバー４、後部カバー５の素材は何れも耐熱性或いは難燃性を必要とし、金属若しくは難燃性プラスチックが望ましい。
【００１２】
筒体２の長手方向略中央部には、ロケット花火挿入口６がロケット花火８を装填可能な大きさに形成され、また、ロケット花火挿入口６の近傍には、把持部３が筒体２を包含して設けられ、把持部３の後端は片手で把持可能に湾曲して成形されている。そして、把持部３のロケット花火挿入口６側端部には、導火線１０の径よりやや大きく導火線保持部７が形成されており、ロケット花火８の導火線１０を筒体２から外に出して保持した状態で着火可能とする。
【００１３】
上記の構成による、本考案の花火銃１のロケット花火挿入口６にロケット花火８を挿入すると、導火線１０が導火線保持部７から筒体２から外に出た状態となり、さらに中空のカバー４を筒体２の先端から挿入して把持部３と当接させると、導火線１０が花火銃１の外に出た状態となり、安全に着火可能となる。
【００１４】
次に、図３により本考案の花火銃の作用を説明する。野猿を発見したら、予め用意した花火銃１と、ロケット花火８とライターなどの着火具を持って適度な距離を保って野猿に近づき、図３に示すようにロケット花火８の柄９を把持部３方向に向けたまま、ロケット花火挿入口６からロケット花火８を挿入する。このとき導火線１０は導火線保持部７で筒体２より外に出した状態で筒体２の中に挿入すると共に、カバー４を筒体２の先端から挿入し、カバー４と把持部３とを当接させる。そして、導火線保持部７によって保持された導火線１０にライターなどの着火具を使用して着火を行なうと同時に、野猿の位置を狙い発射する。発射されたロケット花火８は、約数１０ｍ飛翔し、野猿の近くで炸裂し、強烈な爆発音を発すると同時に、花火特有の火薬の臭いを周囲に撒き散らし、効果的に野猿を撃退することができる。しかも、花火銃１を使用してロケット花火８を発射する際には、筒体２のロケット花火挿入口６をカバー４で覆い、導火線１０を筒体２の外側に出した状態で着火できるため、安全に作業ができると同時に、確実に野猿等の近くを狙うことができる。
【００１５】
以上、本考案による花火銃によれば、ロケット花火を用いて安全に着火して、発射ができると共に、ロケット花火を野猿などの近くまで到達させて炸裂させることができる。しかも、先端部が開放された筒体と、該筒体を挿通可能とし、前記把持部の導火線保持部側端部にて当接するカバー部とから構成されているので、ロケット花火を筒体内を挿通して発射し、数１０ｍ離れた場所にいる野猿などの近くまで到達させることができる
【図面の簡単な説明】
【００１６】
【図１】本考案に係る花火銃の一実施例を示す斜視図である。
【図２】図１の部分拡大断面図である。
【図３】本考案に係るの使用状態を示す説明図である。
【符号の説明】
【００１７】
１          花火銃
２          筒体
３          把持部
４          カバー
５          後部カバー
６          ロケット花火挿入口
７          導火線保持部
８          ロケット花火
９          柄
１０          導火線
【図１】
0003124481.tif 000003
【図２】
0003124481.tif 000004
【図３】
0003124481.tif 000005